(57)【要約】【課題】電池蓋の脱着時に筺体と電池蓋が擦れることによる傷付きを防止し、且つ筺体と電池蓋との境界線を電子機器の背面に配置することによりデザイン的美観を高める。【解決手段】先細り形状の板状の電池蓋６と、電池蓋６が配置される凹部５を備えた筺体１とを有し、電池蓋６をスライドさせて筺体１の凹部５に脱着可能に構成した電池収納装置において、電池蓋６の内面６ａと側面６ｂとの境界に切り欠き部１５を設ける。【選択図】図３
2005108627.tif 000002
【特許請求の範囲】
【請求項１】
先細り形状の板状の電池蓋と、該電池蓋が配置される先細り形状の凹部を備えた筺体とを有し、前記電池蓋をスライドさせて前記筺体の凹部に脱着可能に構成した電池収納装置において、前記電池蓋の内面と側面との境界に切り欠き部を設けたことを特徴とする電池収納装置。
【請求項２】
前記電池蓋を筺体の背面内に配置したことを特徴とする請求項１に記載の電池収納装置。
【請求項３】
前記電池蓋の側面と前記筺体の凹部側面との間に隙間を設けたことを特徴とする請求項１又は２に記載の電池収納装置。 
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）、各種リモコン類、コードレス電話子機、ノートパソコン等の種々の電子機器を構成する電池収納装置に関する。
【背景技術】
【０００２】
携帯電話機、ＰＤＡ（Ｐｅｒｓｏｎａｌ  Ｄｉｇｉｔａｌ  Ａｓｓｉｓｔａｎｔ）、各種リモコン類、コードレス電話子機、ノートパソコン等の携帯可能な電子機器には、充電可能な二次電池或いは使い捨ての一次電池を収納する電池収納装置を備えたものが一般に知られている。
【０００３】
図４、図５は従来の電池収納装置の一例である折り畳み型携帯電話機を背面から見たものであり、図４は折り畳み型携帯電話機の背面に設けた電池蓋を取り外して凹部を開放した状態を示す斜視図、図５は電池蓋を装着して凹部を閉じた状態を示す斜視図である。図４、図５に示す折り畳み型携帯電話機は、背面Ａがほぼ平坦形状の第１筺体１と、該第１筺体１の一端に連結部３（ヒンジ）により回動可能に連結した第２筺体２とを有する。そして、前記第１筺体１と第２筺体２の折り畳み時の第１筺体１の対向面には、図示しないが操作部（操作キー）及び送話部が設けられ、第２筺体２の対向面には受話部及び表示部が設けられている。そして、前記折り畳み型携帯電話機を使用しない時は、図５のように筺体１，２同士を折り畳んだ状態で第１筺体１の背面Ａが下側を向くよう設置面上に載置するようになっている。
【０００４】
ところで、前記第１筺体１の背面Ａには、図４に示すように電池４を収容するための矩形形状の電池収容凹部５が形成してあり、該電池収容凹部５に電池４（携帯電話機では一般に二次電池）が収納される。そして、前記第１筺体１には、スライドによって前記電池収容凹部５に脱着できるようにした電池蓋６が設けてあり、前記電池収容凹部５と前記電池蓋６とにより電池収納装置が構成されている。
【０００５】
電池蓋６をスライドによって電池収容凹部５に脱着するための構成の一例が図４に示されている。即ち、連結部３側である電池収容凹部５の前端部５ａには係止開口部８と幅方向に２個所の浮き上がり防止孔９が形成してあり、又、前記電池収容凹部５の後端部５ｂ近傍の幅方向２個所には浮き上がり防止孔１０が形成してある。そして、前記電池蓋６の前端には、電池蓋６を前方へ押し込むと変形して前記係止開口部８に嵌合し係止開口部８内に係止されるようにしたフック１１と、前記フック１１が係止開口部８内に係止されるのと同時に前後の各浮き上がり防止孔９，１０に嵌合する４個の舌部１２とを備えている。
【０００６】
前記電池蓋６は、図５に示すごとく第１筺体１の背面Ａから側面の一部まで回り込む断面略コ字形を有しており、このため従来の携帯電話機では、第１筺体１の側面に該第１筺体１と電池蓋６との境界線１３が現れる構成を有していた。
【０００７】
尚、電子機器の筺体に、バッテリ固定部とバッテリカバー固定部とを有しバネによりバッテリ収納室方向に出没可能なストッパを備え、該ストッパによりバッテリとバッテリカバー（電池蓋）とを同時に筺体に固定できるようにしたものが特許文献１に示されている。
【特許文献１】特開平１０−２８４０２６号公報
【発明の開示】
【発明が解決しようとする課題】
【０００８】
しかし、図４、図５に示した携帯電話機は、電池蓋６が第１筺体１の背面Ａから側面の一部まで回り込だ形状を有し、第１筺体１の側面に該第１筺体１と電池蓋６との境界線１３が現れるために、この境界線１３が目立ってデザイン的美観を損ねていた。従って、従来の携帯電話機では前記境界線１３におけるクリアランスを極力小さくすることが要求されていた。しかし、境界線１３におけるクリアランスを小さくすることは製作の精度を無用に高めることが必要となり製作が困難になる問題がある。更に、クリアランスが小さいと、電池蓋６をスライドさせて脱着する際に合わせ部が擦れ、このために第１筺体１が傷付けられて塗装剥がれを生じたり、電池蓋６を削ってしまう問題があった。
【０００９】
又、近年では、様々なデザインの携帯電話機等が提案されており、そのデザインに応じて電池蓋６を先細り形状としなければならない場合がある。しかし、このように電池蓋６を先細り形状とした場合においても、第１筺体１の側面に現れる前記境界線１３におけるクリアランスを小さくした場合、電池蓋６の脱着時に第１筺体１に引っ掛かって合わせ部が擦れることにより第１筺体１が傷付けられて塗装剥がれを生じたり、電池蓋６を削ってしまう問題が同様に発生する。
【００１０】
一方、前記特許文献１では、電池蓋をスライドさせて脱着するのではなく、バネによって出没できるストッパを筺体に設けて電池蓋をバッテリ収納室に対し鉛直方向に脱着する方式であるために、脱着時に筺体と電池蓋とが擦れる問題を低減できる。
【００１１】
しかし、近年では携帯電話機等の電子機器の小型化、薄型化が要求されており、このような薄型の携帯電話機の筺体内部に、前記した如くバネによってバッテリ収納室方向に出没するストッパを設けることは難しい。
【００１２】
本発明は、上記実情に鑑みてなしたもので、電池蓋の脱着時に筺体と電池蓋が擦れることによる傷付きを防止でき、且つ筺体と電池蓋との境界線を筺体の背面に配置することによってデザイン的美観を高めた電池収納装置を提供することを目的とするものである。
【課題を解決するための手段】
【００１３】
請求項１に係る発明は、先細り形状の板状の電池蓋と、該電池蓋が配置される先細り形状の凹部を備えた筺体とを有し、前記電池蓋をスライドさせて前記筺体の凹部に脱着可能に構成した電池収納装置において、前記電池蓋の内面と側面との境界に切り欠き部を設けたことを特徴とする電池収納装置、に係るものである。
【００１４】
請求項２に記載の発明は、前記電池蓋を筺体の背面内に設置したことを特徴とする請求項１に記載の電池収納装置、に係るものである。
【００１５】
請求項３に記載の発明は、前記電池蓋の側面と前記筺体の凹部側面との間に隙間を設けたことを特徴とする請求項１又は２に記載の電池収納装置、に係るものである。
【発明の効果】
【００１６】
請求項１に係る発明では、筺体の凹部に先細り形状の板状の電池蓋を脱着可能に備え、該電池蓋の内面と側面との境界に切り欠き部を設けたので、電池蓋を取り外す際に前記切り欠き部が凹部の側面にせり上がるように作用することによって、凹部と電池蓋との擦れに伴う筺体の傷付きを低減することができる。特に電池蓋の少なくとも幅が先端に向かって先細り形状を有していても、電池蓋を凹部から取り外す際に電池蓋の側面が凹部の側面にせり上がるように作用して互いに擦れることによる傷付きを効果的に低減することができる。
【００１７】
請求項２に係る発明では、電池蓋を筺体の背面内に配置したので、電池蓋と筺体との境界線が通常使用時に外部に現れず、デザイン的美観が高められる。
【００１８】
又、先細り形状の電池蓋を筺体から取り外す際には、凹部の側面の間隔が先細りの形状となっているために筺体と電池蓋とが擦れ易くなるが、電池蓋の内面と側面との境界に前記切り欠き部が設けてあるので、該切り欠き部が凹部の側面にせり上がるように作用して、凹部と電池蓋との擦れに伴う傷付きを低減することができる。
【００１９】
請求項３に係る発明では、電池蓋の側面と筺体の凹部の側面との間に隙間を設けたので、隙間によって電池蓋の脱着が更に円滑に行えるようになり、よって擦れによる問題が更に低減し、しかも境界線に高い精度が不要になるので製作も容易になる。
【００２０】
このとき、電池蓋の側面と筺体の凹部の側面との境界線を電池収納装置の背面内に位置させたので、電池収納装置の背面に位置する境界線が通常使用時では外部に現れず、比較的大きな隙間を設けてもデザイン的美観を損ねることがなく、よって境界線に高い精度が要求されることがなく製作も容易になる。
【発明を実施するための最良の形態】
【００２１】
以下、本発明の実施の形態を添付図面を参照して説明する。
【００２２】
図１〜図３は本発明の電池収納装置の一例である折り畳み型携帯電話機を示すものであり、図１は折り畳み型携帯電話機の背面に設けた電池蓋を取り外して電池を収容する凹部を開放した状態を示す斜視図、図２は図１の電池蓋を装着して凹部を閉じた状態を示す斜視図、図３は図２のＩＩＩ−ＩＩＩ方向矢視図であり、図中前記図４、図５と同一の符号を付したものは同一の構成部材を表わす。
【００２３】
図１、図２に示す携帯電話機は、背面Ａに電池蓋６を有する第１筺体１と、この第１筺体１の一端に備える連結部３（ヒンジ）により回動可能に連結された第２筺体２とを有し、第１筺体１と第２筺体２を互いに折り畳んだ際に対向する第１筺体１の対向面には、図示しないテンキーやカーソルキー等の操作部と送話部を備え、又、第２筺体２の対向面には、図示しない液晶表示装置や有機ＥＬ等の表示部と受話部とを備えている。
【００２４】
又、第１筺体１及び第２筺体２は、それぞれ連結部３側の一端部の幅寸法よりも他端部側の幅寸法が小さくなった先細り形状を有しており、そのために第１筺体１の背面（対向面と反対側面）Ａに備える電池蓋６も、連結部３側にあたる前端側の幅寸法Ｗ１に対して後端側の幅寸法Ｗ２が小さくなっており、前端側から後端側に向かって先細り形状を有している。
【００２５】
先細り形状を有する第１筺体１の背面Ａ側には、電池蓋６が収容される第１の凹部５１と、この第１の凹部５１の幅寸法よりも小さな幅寸法を有し且つ第１の凹部５１に開口するように形成された、電池を収容するための第２の電池収容凹部５が形成してあり、背面Ａに開口する第１の凹部５１には、先細り形状を有する電池蓋６がスライドにより脱着可能に取り付けてある。尚、第１の凹部５１の平面形状は、電池蓋６の平面形状と略同形の先細り状に形成してある。そして、電池蓋６のスライドによって、電池蓋６の前端より突出する２箇所の舌部１２を、第１の凹部５１の前端部５１ａに形成された浮き上がり防止孔９にそれぞれ挿入すると共に、電池蓋６の後端より内側に突出する２箇所の舌部１２を、第１の凹部５１の後端部に形成された浮き上がり防止孔１０にそれぞれ挿入し、且つ電池蓋６の前端より突出するフック１１を、第１の凹部５１の前端部５１ａに形成された係止開口部８に嵌入して係止させることにより電池蓋６を第１の凹部５１に固定・収容するようになっている。
【００２６】
このように、第１筺体１の背面Ａには、電池蓋６が収容される第１の凹部５１を設けるようにしたことから、図２に示すように第１筺体１と電池蓋６との境界線１４は第１筺体１の側面には現れず、背面Ａ側に位置させることができる。その為、筺体１，２の外形状を様々な形状とすることができ、例えば、本実施形態のような先細り状としてもそのデザインに制約を受けることなく筺体１に取り付けることが可能な電池蓋６を設けることができると共に、従来では難しかった筺体１側面に形成される筺体本体と電池蓋との境界を無くすことができる。尚、スライドによって電池蓋６を着脱させる構造については本実施形態で示したものだけに限定されるものではない。
【００２７】
又、図３に示す如く、前記電池蓋６の内面６ａと側面６ｂとの境界には、面取りを施して例えば４５゜前後のテーパ面からなる切り欠き部１５を設けてある。尚、図３では切り欠き部１５をテーパ面としたが、曲面としても構わない。
【００２８】
又、従来の携帯電話機では第１筺体１と電池蓋６との境界線１３におけるクリアランスを極力小さくすることが要求されたが、本発明では、電池蓋６の側面６ｂと前記第１の凹部５１の側面５１ｃとの間に所要の隙間Ｓを設けている。即ち、図２に示すように電池蓋６の側面６ｂと第１の凹部５１の側面５１ｃとの境界線１４が携帯電話機の背面Ａ内に配置されたことにより、携帯電話機の背面Ａに位置する境界線１４によって美観が損なわれることがなく、よって、境界線１４に例えば０．２〜１．０ｍｍ程度の比較的大きな隙間Ｓを設けることができる。ただし、隙間Ｓが０．２ｍｍ未満となると、電池蓋６と第１の凹部５１に高い寸法精度が要求され、又、隙間Ｓが１．０ｍｍを越えると、隙間が大きくなりすぎ、デザイン的にも好ましくない。その為、隙間Ｓは０．２〜１．０ｍｍとすることが良く、好ましくは０．２〜０．５ｍｍとすることが良い。
【００２９】
以下に、上記形態の作用を説明する。
【００３０】
図２における閉状態の電池蓋６を第１筺体１から取り外して電池収容凹部５を開放する際は、電池蓋６の上面前端部付近を指で押圧しながら、第１筺体１の後部に向かって電池蓋６をスライドさせる。すると、フック１１は変形し係止開口部８に対する係止が解かれて係止開口部８から引き抜かれ、同時に各舌部１２が各浮き上がり防止孔９，１０から引き抜かれることにより、図１のように電池蓋６は第１の凹部５１から取り外される。
【００３１】
この時、前記電池蓋６の内面６ａと側面６ｂとの境界には切り欠き部１５を設けてあるので、特に電池蓋６を第１の凹部５１から外す時に、切り欠き部１５が第１の凹部５１の側面５１ｃに沿ってスムーズにせり上がるようになるので、第１の凹部５１の平面形状が先細り状をしていたとしても電池蓋６が第１筺体１に対して引っ掛かる問題が防止され、よって第１筺体１の傷付き塗装剥がれや電池蓋６が削れる問題を低減することができる。
【００３２】
尚、図３に示したように電池蓋６の内面６ａと側面６ｂとの境界に切り欠き部１５を設けた構成は、前記図２に示したように境界線１４が背面Ａに形成されるようにした方式以外に、図４、図５に示した従来の構成のように境界線１３が第１筺体１の側面に設けている場合にも適用して擦れによる問題を防止することができる。
【００３３】
又、図１の状態から第１の凹部５１に電池蓋６を装着する際は、第１の凹部５１上側の閉塞位置より後方位置に電池蓋６を載置した後、電池蓋６の上面前端部付近を指で押圧しながら、第１筺体１の前部に向かってスライドさせる。すると、フック１１は変形して係止開口部８内に挿入されると共に、各舌部１２が各浮き上がり防止孔９，１０に差込まれ、しかる後、指による押圧をやめると、フック１１が係止開口部８に係止されることで電池蓋６が第１筺体１に固定され、電池蓋６は前後、左右、上下に拘束される。
【００３４】
さらに、従来の携帯電話機では第１筺体１と電池蓋６との境界線１３におけるクリアランスを極力小さくすることが要求されたが、本発明では、電池蓋６の側面６ｂと第１の凹部５１の側面５１ｃとの間に所要の隙間Ｓを設けた。即ち、図２に示した如く電池蓋６の側面６ｂと第１の凹部５１の側面５１ｃとの境界線１４が携帯電話機の背面Ａ内に位置するようにしたので、携帯電話機の背面Ａに位置する境界線１４が美観を損ねるという問題がなくなり、よって境界線１４における隙間Ｓを例えば０．２〜１．０ｍｍ程度の比較的大きなものとしても問題がない。
【００３５】
このように境界線１４に隙間Ｓを設けると、特に平面形状が先細り状をした電池蓋６と第１の凹部５１を有する場合、第１の凹部５１内で電池蓋６が移動し易くなるため、電池蓋６の脱着が更に円滑に行われるようになり、よって擦れによる問題を更に低減することができると共に、境界線１４に高い精度が不要になるために製作も容易になる。
【００３６】
尚、上記形態では携帯電話機を例示したが、本発明は携帯電話機以外のＰＤＡ、リモコン類、コードレス電話子機、ノートパソコン等の種々の電子機器からなる電池収納装置にも適用できること、その他本発明の要旨を逸脱しない範囲内において種々変更を加え得ることは勿論である。
【図面の簡単な説明】
【００３７】
【図１】本発明における電池収納装置の一例である折り畳み型携帯電話機の背面に設けた電池蓋を取り外して凹部を開放した状態を示す斜視図である。
【図２】図１の電池蓋を装着して凹部を閉じた状態を示す斜視図である。
【図３】図３は図２のＩＩＩ−ＩＩＩ方向矢視図である。
【図４】従来の電池収納装置の一例である折り畳み型携帯電話機の背面に設けた電池蓋を取り外して凹部を開放した状態を示す斜視図である。
【図５】図４の電池蓋を装着して凹部を閉じた状態を示す斜視図である。
【符号の説明】
【００３８】
１  第１筺体（筺体）
６  電池蓋
６ａ        内面
６ｂ        側面
１５  切り欠き部
５１        第１の凹部（凹部）
５１ｃ      側面
Ａ  背面
Ｓ  隙間
【図１】
2005108627.tif 000003
【図２】
2005108627.tif 000004
【図３】
2005108627.tif 000005
【図４】
2005108627.tif 000006
【図５】
2005108627.tif 000007